(57)【特許請求の範囲】
【請求項１】
キャスタを備えたベースフレームに立設した一対の支柱と、
一対の前記支柱の左右内幅内に収まる左右幅を有する略直方体の上面を全面開口したトレイ本体、及び少なくとも前記トレイ本体の前記支柱に対応する位置に配置される二重側壁を備えるトレイと、
前記二重側壁の外側の側壁をスライド自在に支持することによって前記トレイを支持し、一対の前記支柱の対向する内面に取付けられる水平姿勢の根元部、前記二重側壁に前後方向の全長にわたって上端部から前記根元部との接続部分付近までが被覆され、前記根元部の幅方向の先端から垂直向きに起立されて前記ベースフレームの前後方向に延伸する垂直部、及び前記垂直部に設けられ、前記二重側壁に弾力的に当接する弾性当接部を有する制御部を備えるレールと、
を備えるカート用のトレイ装置。
【請求項２】
前記制御部は、
前記垂直部の前端部及び後端部にそれぞれ設けられる請求項１に記載のトレイ装置。
【請求項３】
前記二重側壁は、
内部に前記制御部が有する凹部に係合し、前記トレイのスライドをストップさせる保持部を備える請求項２に記載のトレイ装置。
【請求項４】
前記二重側壁は、
内部の天井側に、上方向に凹形状となる略山形の下端面形状を有し、前記二重側壁を前後方向に区画する仕切壁を備え、
前記トレイは、
前記垂直部の上端部が前記仕切壁の凹形状に嵌まり込むように設置される請求項３に記載のトレイ装置。
【請求項５】
前記制御部は、
前記二重側壁の外側壁の下端面に当接する水平姿勢の第二当接部を備えた請求項４に記載のトレイ装置。
【請求項６】
キャスタを備えたベースフレームに立設した一対の支柱と、
一対の前記支柱の左右内幅内に収まる左右幅を有する略直方体の上面に全面開口する開口部、及び前記開口部を周回する二重の側壁を有する二重側壁を備えるトレイと、
前記二重側壁の外側の側壁をスライド自在に支持することによって前記トレイを支持し、一対の前記支柱の対向する内面に取付けられる水平姿勢の根元部、及び前記トレイが前方に引き出された状態においても前記二重側壁に前後方向の全長にわたって上端部から前記根元部との接続部分付近までが被覆され、前記根元部の幅方向の先端から垂直向きに起立されて前記ベースフレームの前後方向に延伸する垂直部を備えるレールと、
を備えるカート用のトレイ装置。
【発明の詳細な説明】
【技術分野】
【０００１】
本発明は病院等で使用されるナースカートのようなカート用のトレイ装置に関する。
【背景技術】
【０００２】
ナースカートは、看護師がカートの天板にパソコン等を載せ、各患者用の薬剤や注射器，血圧計などを始めとする器材などをトレイに搭載したカートを押して各患者のベッド脇に移動し、夫々の患者に必要な種々の措置を施してナースセンターに戻るといった態様で使用される病院内の看護師専用のカートであり、様々な型式のものが提案され、実用にも供されている。
【０００３】
公知のナースカートには、一例として次のようなものがある。
すなわち、平面から見て略長方形の各頂点部に４個のキャスタを備えた形態のベースフレームと、このフレームの左右側に直立された２本又は４本の支柱と、この支柱の上端部に昇降可能に、又は、高さを固定して設けられた天板と、この支柱において前記天板の下方からベースフレーム上面の間に架設された一段乃至複数段のトレイとを備えた形態である。このようなトイレを備えたカートには、ナースカート以外のカートがあることも知られている。
【０００４】
公知のカートにおけるトレイは、ベースフレームの左右側に位置した２本又は４本の支柱に、各段のトレイをスライド可能に支持するためのスライドレールを複数段設け、このスライドレールに、トレイの左右側に形成した被支持部を支持させ前記レール上でトレイを前後にスライドできる形態で設けられたものが殆んどである。
【０００５】
上記の形態でカートに配設される各段のトレイがスライド可能に支持されている理由は、ナースカートの場合では、トレイに積載物を出入れしやすくするため、或は、ナースターミナルに各看護師とナースカートが集合してカート天板上のパソコンを使用するとき、看護師の脚とトイレの後端部が干渉することがないようにするためである。
【０００６】
しかし、上記トレイを前後スライド自在に支持するためのレールやトレイの縁に形成した被支持部が外部から見えるのは、見映えの点でも好ましくないため、その部のデザインに工夫を要するという問題が生じる。
【０００７】
一方、従来のトレイでは、トレイの被支持部と該部をスライド自在に支持するレールとの間にある遊びやガタにより、カートの走行時に床の段部や不陸によってガタ付き音が生じたり、レールとトレイの被支持部の間の遊びが大き過ぎてカートのストップ時などに慣性によってトレイが不用意に動いてしまうという問題が指摘されている。
【先行技術文献】
【特許文献】
【０００８】
【特許文献１】特許第４８４６３４５号公報
【特許文献２】特許第４３４５４５０号公報
【特許文献３】特許４９４３２５１号公報
【特許文献４】特開２０１２−１９９００号公報
【発明の概要】
【発明が解決しようとする課題】
【０００９】
そこで本発明では、カートにおいてトレイと支持レールの間で発生するガタ付き音や不用意な動きが生じるといった難点を解消したカート用のトレイ装置を提供することを、課題とする。
【課題を解決するための手段】
【００１０】
上記課題を解決するために、本発明は、キャスタを備えたベースフレームに立設した一対の支柱と、一対の前記支柱の左右内幅内に収まる左右幅を有する略直方体の上面を全面開口したトレイ本体、及び少なくとも前記トレイ本体の前記支柱に対応する位置に配置される二重側壁を備えるトレイと、前記二重側壁の外側の側壁をスライド自在に支持することによって前記トレイを支持し、一対の前記支柱の対向する内面に取付けられる水平姿勢の根元部、前記二重側壁に前後方向の全長にわたって上端部から前記根元部との接続部分付近までが被覆され、前記根元部の幅方向の先端から垂直向きに起立されて前記ベースフレームの前後方向に延伸する垂直部、及び前記垂直部に設けられ、前記二重側壁に弾力的に当接する弾性当接部を有する制御部を備えるレールと、を備えるカート用のトレイ装置を提供する。


【００１１】
上記の本発明トレイ装置において、二重側壁は、内部に少なくともトイレのスライドエンドを拘束的に保持するための保持部が設けられており、その保持部としては、トレイのレール上でのスライドエンドを拘束的に保持するため、レール本体の両端部に設けられた制御部の凹部に係合し当該凹部との協働作用でトレイのスライドをストップさせて拘束作用をする係止片として形成されたものがある。
この構成により、本発明トレイ装置では、トレイが位置決めされた位置において、係止片と凹部の協働作用でその位置が拘束的に保持されるから、カートを急にスタートさせたり、急停止してもトレイが不用意にスライドすることはない。
【００１２】
本発明トレイ装置において、レール本体に設けられる制御部は、トレイの二重側壁の内側面に弾力的に当接する弾性当接部と前記二重側壁に設けた係止片を係合する凹部とを備えて構成したので、カートが停止しているときは無論のこと、カート移動時でも、レールに設けた制御部の弾性当接部の作用で、トレイがレールに弾性的に保持されることになるから、トレイとレールとが移動時の振動などによってガタ付いたりビビリ音を生じることはなく、従って、静かにカートを走行させることができる。
【００１３】
また、上記の静粛なカート走行は、トレイの二重側壁の外側の下端面がレールの制御部に形成した水平な第二当接部に下から支えられていることにより、仮にトレイに上下方向でガタ付きが生じることがあっても発生するガタ付き音を抑制する効果がある。
【発明の効果】
【００１４】
本発明は、キャスタを備えたベースフレームに立設した左右側の支柱の間に、レールを介してスライド自在に支持されるトレイを設けたカート用のトレイ装置において、トレイは、前記支柱の左右内幅内に収まる左右幅を有する平面視略長方形の上面を全面開口した箱状をなすトレイ本体と該本体における少なくとも前記左右の支柱に対応した側壁を二重に形成した二重側壁とを備え、該二重側壁においてトレイをスライド自在に支持するレールは、前記左右支柱の対向する内面に取付けられる水平姿勢の根元部と該根元部の幅方向の先端から垂直向きに起立されて前記ベースフレームの前後方向に延伸した垂直部とから成る断面略Ｌ状のレール本体と、該レール本体に設けられ、前記トレイの二重側壁内に収まって当該二重側壁とレール本体の間で生じるガタ付き、並びに、レール本体上での不用意動作を抑制するための制御部を設けてカート用のトレイ装置にしたことにより、レールとトレイの間に生じることがあるガタ付き音や、両者間に存在するいわゆる機械的遊びが大きすぎて生じることがある不用意な動作を効果的に抑制ないし防止することができるので、静粛性の高いカート走行を実現できるカートを提供することができる。
【図面の簡単な説明】
【００１５】
【図１】本発明トレイ装置の一例を備えたカートにおいて、上段はトレイを外してレールのみを表わした状態、中段はトレイとレールをともに外した状態、下段はトレイを架装した状態を示すカートの斜視図。
【図２】図１のカートにおける上段左側のレールの斜視図。
【図３】図１のカートにおける上段右側のレールとトレイの二重側壁の関係を説明するための縦断正面図。
【図４】図３の上段の右側レール全体の一部を省略した斜視図。
【図５】図４のレールの平面図。
【図６】トレイの右側の二重側壁とレールとの関係を説明するための要部の縦断側面図。
【００１６】
図１に示した本発明トレイ装置を備えたカート１は、上端部に天板２を備えた左右側の２本の支柱３Ｌ，３Ｒが、当該両支柱３Ｌ，３Ｒの間に一例として３段のトレイ装置４を、それぞれの装置４が箱状のトレイ４１を前後スライド可能に架装して備え、ベースフレーム５に立設された基本構造を有する。
【００１７】
すなわち、５は平面から見て大略Ｈ状をなすように形成されたベースフレームで、該フレーム５の四隅には、４個の自在キャスタ９ａ〜９ｄが設けられている。なお、図１のカート１において、図１の左方がカートの押進方向でこのカートの前方、図の右方がハンドルが設けられているカートの後方とする。ここで、ベースフレーム５における左右側は、左右の縦フレーム部材５ｂ，５ｂと両部材５ｂを結合する貫材の横フレーム部材５ａから成る。なお、横フレーム部材５ａは縦フレーム部材５ｂ，５ｂの長さに関してカートの後方寄りにオフセットして設けられている。また、縦フレーム部材５ｂ，５ｂは、やや中高の浅いアーチ状乃至低い山形状に形成されている。横フレーム部材５ａの中心部底面には、後述するストッパ１０の固定台５ｃが設けられている。
【００１８】
横フレーム部材５ａの中心部位の下面に設けた固定台５ｃには、足踏式のリンク機構によりストッパ当接部１０ｃが床に対して降下，上昇するストッパ１０が設けられている。このストッパ１０は、スカート１を停止させた位置で、下降ベダル１０ｆを踏込むとストッパ当接部１０ｃを下端に有するピストンロッド１０ｂがリンク機構の作用でバネ力（図示せず）に抗して降下されて床面に当接し、この状態がリンク機構の作用でロックされ、カート１の押進を不能にする。このストッパ１０は、解除ペダル１０ｅを踏むと前記ロックが解除されてストッパ当接部１０ｃがバネ力で上昇するようになっている。
【００１９】
前記支柱３Ｌ，３Ｒは、前記ベースフレーム５において、横フレーム部材５ａが設けられている部位の左右の縦フレーム部材５ｂ，５ｂに立設されている。なお、支柱３Ｌ，３Ｒは、下方の基礎部分に、昇降するロッド３ａ，３ｂが内装されており、ここでは右側の支柱３Ｒのロッド３ｂがガスシリンダ（図示せず）のロッドにより形成されて昇降自在である。また、左右の支柱３Ｌ，３Ｒにおいて、図の最上段のトレイ装置４の下方部位には、当該支柱３Ｌ，３Ｒを左右で結合する貫材３１が設けられている。
【００２０】
左右の支柱３Ｌ，３Ｒにおけるロッド３ａ，３ｂの上端部には天板２の下面が固定されている。天板２は、ここではロッド３ｂが属するガスシリンダ（図示せず）の作用により、天板２の最上位置から最上位置の、例えば２００ｍｍ前後のストローク量の昇降ができるように設けられている。前記ガスシリンダは、右側の支柱３Ｒの基礎部分（下半側）に内装されている。上記の２００ｍｍのストローク量は一例であって、その数値は任意である。この実施例における２００ｍｍの昇降ストローク量は、本発明では、天板２を最上位に上げた位置で、ナースターミナルを形成しているテーブル天板（図示せず）の上方に前記天板２をオーバハングさせ、この天板２を最下位に下げた位置では前記ターミナルのテーブル天板の下方にこの天板２を入れることができるようにするために採用されたものである。これによって、天板２の高さを選択してナースカート自体をナースターミナルのテーブルにより近付けることができる。
【００２１】
天板２は、その手前側（図１の右方、図２，図３の左方）に、このカート１を押進（又は牽引も可）するためのグリップ６ａと両側の取付部６ｂから成るハンドル６を天板２の下面から取付部６ｂを介して後方へ突出する態様で設けている。このハンドル６には、金属パイプ成形品又は合成樹脂成形品による断面が略オーバル状乃至略長円状のグリップ６ａが断面姿勢を斜めにして設けられている。グリップ６ａが略オーバル状乃至長円状で斜めの姿勢であるのは、カートを押進するときの手の握り感、乃至は掴み感を手首の角度などに無理をさせない自然なものにすること、並びに、天板２の上においたパソコン（図示せず）を立姿勢で操作するときのアームレストとして機能することを狙ったからである。
【００２２】
上記の左右の支柱３Ｌ，３Ｒは、その対向内面の高さ方向における中間部位と下段部位の上下方向に、複数段のレール係止用のスロット７ａと後述するブラケット43用のビス穴７ｂが等ピッチで列設されている。このスロット７ａとビス穴７ｂは、この例では３段設けるトレイ装置４における中間部位と下段部位のトレイ４１を前後スライド自在に支持するレール本体４２の設置高さを、複数段のスロットとビス穴から選択して設定するためのものである。前記スロット７ａとビス穴７ｂは、支柱３Ｌ，３Ｒの高さ方向全域に亘り等ピッチで列設するようにしてもよい。このようにすると、各段のレール本体４２の位置を自由に選択し変更できる。
【００２３】
ここで、各段のレール本体４２は、すべて同じ構成であるから、ここでは図１に表われた上段のレール本体４２の構成について、図１〜図４を参照して説明する。
【００２４】
各段の左右のレール本体４２は、対称な断面略Ｌ状部材により形成されている（図２~図５参照）。即ち、レール本体４２は、水平な根元側４２ａとこの根元側４２ａの先端部から９０度立上げた垂直部４２ｂとから成る。
レール本体４２の根元側４２ａの後端寄りには、このレール本体４２を支柱３Ｌ，３Ｒのスロット７ａに係止させるための小係止辺４２ｃが設けられ手いると共に、レール本体４２を下から支える断面逆Ｌ状の取付ブラケット４３を接続するためのビス穴４２ｄを設けて他の部位より広幅に形成された、当該レール本体４２の支柱３Ｌ，３Ｒへの取付部に形成されている。取付ブラケット４３はビス４３ａにより支柱３Ｌ，３Ｒに取り付けられる。
【００２５】
上記レール本体４２の垂直部４２ｂの長さ方向両端部には、大略コ状をなす前後の切欠部４２ｅ，４２ｆが形成され、この切欠部４２ｅ，４２ｆに、トレイ４１の左右側部に形成された二重側壁４１Ａの内側面と協働的に作用して、トレイ４１のガタ付きやびびり、或は、不用意動作を効果的に抑制・防止する制御部として作用する制御部材８が取付けられる（主として図２参照）。
【００２６】
制御部材８とトレイ４１の二重側壁４１Ａと基本的関係は次の通りである（図２~図５参照）。
すなわち、二重側壁４１Ａにおける内側壁面４１ａ、及び、外側壁面４１ｂと、この二重側壁４１Ａの内部に収まるレール本体４２の垂直部４２ｂと水平な根元部４２ａとの関係は、概説すると、図３に示されるように、垂直部４２ｂの両端部に設けた制御部材８において前記垂直部４２ｂの面から弾発的に突出させた弾性当接部８ａ（以下、弾性部８ａという。）が二重側壁４１Ａにおける内側壁面４１ａに弾力的バネ性を介して当接する一方、当該制御部材８において水平な前記根元部４２ａの上に積層された態様となる当該制御部材８の断面Ｌ状の水平な滑り部８ｂを第二当接部として設け、該滑り部８ｂの上に、二重側壁４１Ａにおける外側壁面４１ｂの下端部４１ｃが当接するように形成されている。
【００２７】
上記の制御部材８は、側面方向に突出した上記弾性部８ａと水平な滑り部８ｂが当該制御部材８の長さ方向の前後に、中間部８ｃを介して形成されている。このため前記中間部８ｃは、レール本体４２の垂直部４２の垂直部４２ｂを表裏から挟持できるように二又状（又は二重壁状）に形成されていて、この中間部８ｃに形成されたビス穴から取付ビス８ｄによってレール本体４２に取付けられている。図４において、４２ｇはレール本体４２の垂直部４２ｂに設けた前記ビス８ｄを通すビス穴であり、このビス穴４２ｇに対してビス穴８ｄは内側方向から取付けられる。
【００２８】
上記制御部材に８は、滑り部８ｂを有する断面略Ｌ状部分の上面で中間部８ｃ寄りに凹部８ｅが形成されている。
この凹部８ｅは、後に述べる二重側壁４１Ａの前記凹部に対応する内部に保持部として設けられた係止片４１ｄを係止して、トレイ４１の不用意な挙動を防ぐいわばストッパとして機能する。
一方、上記制御部材８に設けた弾性部８ａの上部は、トレイ４１の二重側壁４１Ａの内部に収まるとき、引っ掛らずスムーズに収まるように直角な肩の部分を斜めに面取り加工した斜面８ｆに形成されている（図２参照）。
【００２９】
図６に示したトレイ４１の二重側壁４１Ａの縦断面において、当該側壁４１Ａの内部には、レール本体４２の前後に設けられた前後の制御部材８の凹部８ｅに夫々に係止される前後の係止片４１ｄが設けられている。すなわち、当該トレイ４１が前，後動する両方のスライドエンドにおいて、そのトレイ４１のスライドをストップしそこに保持するために、バネ性を有する係止片４１ｄがこの二重側壁４１Ａの前部と後部とに保持部の一例として設けられている。
つまり、２つの係止片４１ｄは、二重側壁４１Ａの前後部の天井から対称的な略Ｌ状をなす部材として形成され、トレイ４１の前後スライド動作のエンドにおいて、レール本体４２に設けられた前後の制御部材８の凹部８ｅに係合することにより、係合した凹部８ｅと協働してトレイ４１の移動を止め、その位置に保持する作用を持つのである。
【００３０】
二重側壁４１Ａの内部の天井側には、レール本体４２の上端部をレール断面の左右側から抱持する形の略山形状の下端面形状を有する仕切壁４１ｅが二重側壁４１Ａの長さ方向の中間部に等ピッチで設けられている。この仕切壁４１ｅは二重側壁４１Ａの断面強度の補強をすると共に、レール本体４２の上端部の案内としての作用もある。なお、図６に示すように、仕切壁４２ｅは、二重側壁４１Ａの内，外内壁４１ａ，４１ｂと平行な結合壁４２ｆにより結合されている。
【００３１】
以上に説明したカート用のトレイ装置において、各段のレール本体４２に設けた制御部材８は、トレイ４１の前後ストローク時のガタ付きやカート走行時のガタ付き、或は、カートの走行スタート時や停止時におけるトレイの不用意な動作などの制御乃至は防止を目的として設けられたものである。
従って、本発明では、制御部材８の上記目的を達成できるものであれば、制御部材８の形態や取付部などは、上記実施例に限られるものではなく、例えば以下に述べるような形態とすることも可能である。
【００３２】
すなわち、上記例のレール本体４２は、水平な根元部４２ａと垂直部４２ｂを備えた断面略Ｌ状部材における起立辺４２ｃと、取付用ブラケット４３により支柱３Ｌ，３Ｒに取付けるようにしたが、前記ブラケット４３はレール本体４２の根元部４２ａと一体の部材により一体に形成したものであってもよい。
【００３３】
また、制御部材８は、トレイ４１の二重側壁部４１Ａの内面に作用してトレイ４１のレール本体４２上でのガタ付きを抑え、スライド動作を円滑に案内できるのであれば、弾性部８ａや滑り部８ｂの位置は、図示した実施例に限られず、制御部材８の適宜の側面と水平面とに形成することができる。例えば、弾性部８ａは、レール本体４２の垂直部４２ｂの断面に関して、左側（図３参照）ではなく右側になるように形成してもよい。また、弾性部８ａの凸出形状は、平面から見て略山形（図２、図５参照）のみならず、正面から見て略山形状のものでもよい。弾性部８ａが正面から見て略山形状の場合には、トレイ４１の二重側壁４１Ａにレール本体４２を収めるとき、弾性部８ａが引っ掛かることなく収まるので、弾性部８ａが平面から見て略山形状の場合に設けた斜面８ｆは不要である。
【００３４】
さらに制御部材８を設ける位置も、実施例におけるレール本体４２の長さ方向両端の２箇所に限られるものではなく、例えばレール本体４２の長さ方向の中間部の一箇所乃至複数箇所であってもよい。この場合における弾性部８ａのレール本体４２の垂直部４２ｂに関する位置は、左側，右側のどちらでもよく、また、弾性部８ａの凸出形状も平面から見て略山形状或は正面から見て略山形状のいずれであってもよい。
【００３５】
また、上記実施例は、制御部材８をレール本体４２とは別個のパーツとして形成したものであったが、レール本体４２と制御部材８を同じ材料で一体成形して制御部とすることもできる。これはレール本体４２を例えばプラスチック製とすれば容易に実現可能であり、制御部とレールを予め一体化して形成すると、組立手間を省略化できると共に組立誤差による性能差が生じにくくできて好ましい。レール本体４２が金属製であっても同様である。
【００３６】
以上に説明したトレイ装置４に用いられる各トレイ４１は、深さ５０ｍｍ程度浅底タイプから深さ１００ｍｍ程度の深底タイプまで、深さの異なるトレイ４１を各段のトレイ装置４について任意に選択して用いることができる。
また、各段のトレイ装置４に用いるトレイ４１は、ベースフレーム５の長さや天板２の長さなどとの関係で、その長さや幅はほぼ一定長であるが、各トレイ４１の前後ストローク長は、レール本体４２の全長を調整，選択することにより、変更可能である。因みに、図６の例において、レール本体４２の全長を長くすると、トレイ４１の前後ストローク長はレールを長くした分だけ短くなり、逆にレール本体４２の全長を短くすると、トレイ４１のストローク長は長くなる。
【００３７】
本発明トレイ装置は以上の通りであるから、カート用のトレイ装置としてきわめて有用である。
【符号の説明】
【００３８】
１  カート
２  天板
３Ｌ，３Ｒ  左右の支柱
４  トレイ装置
４１  トレイ
４１Ａ  トレイの二重側壁
４１ａ  内側内壁
４１ｂ  外側内壁
４１ｃ  外側内壁下端部
４１ｄ  係止片
４１ｅ  仕切壁
４１ｆ  結合壁
４２  レール本体
４２ａ  根元部
４２ｂ  垂直部
４２ｃ  起立辺
４２ｄ  ブラケット用ビス穴
４２ｅ，４２ｆ  切欠部
４２ｇ  制御部材用ビス穴
４３  レール取付用ブラケット
５  ベースフレーム
６  ハンドル
７ａ  レールの係止用スロット
７ｂ  ブラケット用ビス穴
８  制御部材
８ａ  弾性部
８ｂ  滑り部
８ｃ  凹部
８ｄ  取付ビス
９ａ〜９ｄ  キャスタ
１０  ストッパ
【図１】
0006013081.tif 000002
【図２】
0006013081.tif 000003
【図３】
0006013081.tif 000004
【図４】
0006013081.tif 000005
【図５】
0006013081.tif 000006
【図６】
0006013081.tif 000007